(57)【要約】【課題】  光ディスクを高速で回転させても、光ディスクが変形モード以外に大きなブレを生じないようにすることにより、正確なデータの読み書きを実行することを可能にした光ディスク装置を提供する。【解決手段】  光ディスク４０を載置すべく凹状に形成された載置部２２を有するトレイ２０と、トレイ２０の載置部２２を覆うように設けられたトップケース３０を具備し、光ディスク４０へのデータの書き込みおよび／または光ディスク４０のデータの読み取りをする光ディスク装置１０において、トップケース３０には、光ディスクの載置部２２に載置された光ディスク４０の対向縁部４０ｂ近傍まで延出する突部８０が形成されていることを特徴とする光ディスク装置１０である。【選択図】        図４
2004259424.tif 000002
【特許請求の範囲】
【請求項１】
光ディスクを載置すべく凹状に形成された載置部を有するトレイと、
該トレイの載置部を覆うように設けられたトップケースを具備し、
光ディスクへのデータの書き込みおよび／または光ディスクのデータの読み取りをする光ディスク装置において、
前記トップケースには、前記光ディスクの載置部に載置された光ディスクの対向縁部近傍まで延出する突部が形成されていることを特徴とする光ディスク装置。
【請求項２】
光ディスクを載置すべく凹状に形成された載置部を有するトレイと、
該トレイの載置部を覆うように設けられたトップケースを具備し、
光ディスクへのデータの書き込みおよび／または光ディスクのデータの読み取りをする光ディスク装置において、
前記トップケースには、前記光ディスクの載置部に載置された光ディスクの対向縁部近傍まで延出する突部が形成され、
前記トレイには前記光ディスクの載置部に載置された光ディスクの外周端面の外方を覆う突部が形成されていることを特徴とする光ディスク装置。
【請求項３】
前記トレイおよび／または前記トップケースに形成される突部は、光ディスクの外周部のうち１／４以上にわたって設けられていることを特徴とする請求項１または２に記載の光ディスク装置。
【請求項４】
前記トップケースに形成される突部は、当該突部の対向端面と前記光ディスクの対向縁部との離間距離が、前記光ディスクの載置部の内底面と、当該載置部に載置した光ディスクの対向面との離間距離に等しくなるように形成されていることを特徴とする請求項１乃至３いずれか一項に記載の光ディスク装置。
【請求項５】
前記トレイに形成される突部の高さは、前記トップケースに形成されている突部と入り組む高さに形成されていることを特徴とする請求項２乃至４いずれか一項に記載の光ディスク装置。
【請求項６】
前記トレイおよび／または前記トップケースに形成される突部は、光ディスクを出し入れする側に設けられていることを特徴とする請求項１乃至５いずれか一項に記載の光ディスク装置。
【発明の詳細な説明】
【技術分野】
【０００１】
本発明は光ディスク装置に関し、より詳細には、光ディスクを回転させた際に生じる変形モード以外のブレが生じることがなく、光ディスクからのデータの読み取りや光ディスクへのデータの書き込みをする場合において、データの読み取りエラーや書き込みエラーの発生を少なくした光ディスク装置に関する。
【背景技術】
【０００２】
近年の光ディスク装置は、高速なデータの読み書きをするため、光ディスクを高速で回転させている。これにより、遠心力の作用や、光ディスク自体が異素材の積層構造であることが影響し、光ディスクが変形してしまうことが確認されている。光ディスクの変形モードは、光ディスクの外周部分が中心部分に対して上側に反る変形モードと、光ディスクの外周部分が中心部分に対して下側に反る変形モードが考えられる。そこで、光ピックアップから光ディスクへ照射したレーザ光線の反射光の光軸のずれを計測して、光ディスクの傾きに追従するように光ピックアップの動きを制御することにより、光ディスクのデータの読み書きの信頼性を向上させるレンズアクチュエータが特許文献１に記載されている。
【０００３】
また、光ディスクの変形量を計測し、光ディスクの変形量が正常なデータの書き込みが可能な許容変形量を超えた場合には、記録すべきデータをバッファに一時記憶させ、光ディスクの変形量が許容変形量以下になった後に、光ディスクにデータの書き込みをするデータ書き込み制御手段を付加することにより、光ディスクへのデータ書き込みの信頼性を高める光ディスク情報記録再生装置が特許文献２に記載されている。
【特許文献１】特開平９−２３１５９５号公報
【特許文献２】特開２０００−３２２８１３号公報
【発明の開示】
【発明が解決しようとする課題】
【０００４】
特許文献１および２においては、光ディスクが一定の変形モードで変形した場合において、新たな制御装置を付加することによって、光ディスクが変形してもデータの読み書きを正確に行うことを可能にしている。特許文献１、２のように複雑な機構からなる制御装置の付加は、光ディスク装置の製造原価を上昇させ、価格もこれに伴って高くなってしまうという課題がある。
また、近年、光ディスクの回転数が光ディスクの固有振動数と一致した場合において、光ディスクの変形モードとは異なった変形が生じることが明らかになり、予め設定された光ディスクの変形モードに対応して動作が制御されている特許文献１や特許文献２に示されているようなデータの読み書き制御方法では、光ディスクの回転が光ディスクの固有振動数と一致した場合における変形に対応しきれないといった課題もある。
【０００５】
従来の技術は、データの読み書きの信頼性を低下させる根本的な原因である光ディスクの変形モード以外のブレを抑えることについての対策は何らなされておらず、根本的な解決がなされていない。
本発明は、光ディスクを高速で回転させても、光ディスクが変形モード以外に大きなブレを生じないようにすることにより、正確なデータの読み書きを実行することを可能にした光ディスク装置を提供することを目的とする。
【課題を解決するための手段】
【０００６】
以上に述べた目的を達成するべく各種の検討を行った結果、本発明者は光ディスクを高速で回転させると、遠心力により光ディスク装置内部空間で空気の流れが生じることに注目した。このことから、光ディスク装置内の空気の流れをコントロールし、光ディスクが変形モード以外にブレを生じないように空気の流れによる圧力を光ディスクに好適に作用させれば良いことに想到し、本発明を完成させた。
【０００７】
すなわち、本発明は、光ディスクを載置すべく凹状に形成された載置部を有するトレイと、該トレイの載置部を覆うように設けられたトップケースを具備し、光ディスクへのデータの書き込みおよび／または光ディスクのデータの読み取りをする光ディスク装置において、前記トップケースには、前記光ディスクの載置部に載置された光ディスクの対向縁部近傍まで延出する突部が形成されていることを特徴とする光ディスク装置である。
これにより、高速回転する光ディスクの遠心力で発生する光ディスク装置内の空気の流れをコントロールし、空気を光ディスクの対向縁部近傍において光ディスクの上側から押さえ込むようにすることができるので、光ディスクの変形モード以外のブレを抑えることが可能になる。
【０００８】
さらに他の発明は、光ディスクを載置すべく凹状に形成された載置部を有するトレイと、該トレイの載置部を覆うように設けられたトップケースを具備し、光ディスクへのデータの書き込みおよび／または光ディスクのデータの読み取りをする光ディスク装置において、前記トップケースには、前記光ディスクの載置部に載置された光ディスクの対向縁部近傍まで延出する突部が形成され、前記トレイには前記光ディスクの載置部に載置された光ディスクの外周端面の外方を覆う突部が形成されていることを特徴とする光ディスク装置である。
これによれば、高速回転する光ディスクの遠心力で発生する光ディスク装置内の空気の流れをコントロールし、空気を光ディスクの対向縁部近傍においては光ディスクの上側から、光ディスクの対抗面においては下側からの両方向からはさみ込むように作用させることができるので、光ディスクの変形モード以外のブレをさらに好適に抑えることが可能になる。
【０００９】
また、本発明において、前記トレイおよび／または前記トップケースに形成される突部は、光ディスクの外周部のうち１／４以上にわたって設けられていることが好ましい。
これによれば、必要最小限の加工により光ディスクの変形モード以外のブレを抑えることができる。
【００１０】
また、前記トップケースに形成される突部は、当該突部の対向端面と前記光ディスクの対向縁部との離間距離が、前記光ディスクの載置部の内底面と、当該載置部に載置した光ディスクの対向面との離間距離に等しくなるように形成されていることが好ましい。
これによれば、光ディスクに作用する空気の流れによって得られる光ディスクを上下面から抑え込む力のバランスが取れるので、光ディスクの形状を所定の変形モードに維持しやすくなる。
【００１１】
さらに前記トレイに形成される突部の高さは、前記トップケースに形成されている突部と入り組む高さに形成されていることが好ましい。
これによれば、光ディスク装置内における空気の流れを循環させることができるので、空気の流れにより得られる力を一定に保つことができる。
【００１２】
また、前記トレイおよび／または前記トップケースに形成される突部は、光ディスクを出し入れする側に設けられていることが好ましい。
これによれば、光ディスク装置から光ディスクを出し入れする際において、トレイに形成した突部がトップケースに引っ掛かるおそれを無くすことができると共に、万が一光ディスクが回転中に破損した場合であっても、ユーザ側に破片が飛び散ってくることがなく、安全面においても好都合である。
【発明の効果】
【００１３】
以上のことから、本発明における光ディスク装置には以下のような効果がある。
すなわち、トップケースに突部を形成することにより、高速回転する光ディスクの遠心力で発生する光ディスク装置内の空気の流れをコントロールし、空気を光ディスクの対向縁部に対して押さえ込むようにすることができるので、光ディスクの変形モード以外のブレを抑えることが可能になる。
【００１４】
また、トップケースとトレイの両方に突部を形成することにより、高速回転する光ディスクの遠心力で発生する光ディスク装置内の空気の流れをコントロールし、空気を光ディスクの外周端面の近傍において光ディスクの対向縁部と対向面の両方向から押さえ込むようにすることができるので、光ディスクの変形モード以外のブレをさらに好適に抑えることが可能になる。
【００１５】
さらに、突部の形成は、光ディスクの外周長の１／４以上としたことにより、必要最小限の加工により光ディスクの変形モード以外のブレを抑えることができる。また、トップケースの突部の対向端面（先端部分）から光ディスクの対向縁部（上面側；ラベル面）までの離間距離を、トレイの載置部内底面から光ディスクの対向面（下面側；データ記録面）までの離間距離と等しくしたことにより、光ディスクに作用する空気の流れによって得られる光ディスクを上下面から抑え込む力のバランスが取れるので、光ディスクの形状を所定の変形モードに維持しやすくなる。
さらにまた、トレイに形成する突部の高さをトップケースに形成する突部の高さと入り組むように設定したことにより、光ディスク装置の内部空間における空気の流れを循環させることができるので、空気の流れにより得られる力を一定に保つことができることができる。
【００１６】
また、それぞれの突部の形成は、光ディスク装置において、光ディスクを出し入れする側にしたことにより、光ディスク装置から光ディスクを出し入れする際において、トレイに形成した突部がトップケースに引っ掛かるおそれを無くすことができると共に、万が一光ディスクが回転中に破損した場合であっても、ユーザ側に破片が飛び散ってくることがなく、安全面においても好都合である等といった著効を奏する。
【発明を実施するための最良の形態】
【００１７】
以下、本発明に係る光ディスク装置の好適な実施の形態を添付図面に基づいて詳細に説明する。
なお本発明は、本実施の形態に限定されるものではなく、発明の要旨を変更しない範囲において、各種の改変がなされても本発明の技術的範囲に属するのは言うまでもない。
【実施例１】
【００１８】
まず、本実施の形態における光ディスク装置１０の概要について図１を用いて説明する。図１は、光ディスク装置の概略構成を示す説明斜視図である。図２は、トレイの平面図である。図３はトップケースの底面図である。図４は、本発明に係る光ディスク装置の概略説明断面図である。
本実施の形態における光ディスク装置１０は、本体部１２と、光ディスクを載置する凹型に形成された載置部２２を備えると共に、本体部１２に対し、出し入れ自在に配設されたトレイ２０と、本体部１２の上面を覆うようにして組み立てられるトップケース３０と、本体部１２の下面を覆うボトムケース３２と、本体部１２に格納され、光ディスク４０にデータの読み書きをする光ピックアップ５０やスピンドルモータ６０等、通常の光ディスク装置１０が有する一般的な構成要素により構成されている。
【００１９】
トレイ２０について説明する。
トレイ２０は、光ディスク４０を載置する凹状の載置部２２が形成されていると共に、光ピックアップ５０が光ディスク４０の径方向に移動するための開口部２４が形成されている。
載置部２２には２つの凹部２２ａ、２２ｂが形成されている。これら凹部２２ａ、２２ｂにより、１２ｃｍおよび８ｃｍの光ディスク４０にそれぞれ対応することができる。凹部２２ｂの中心部は、開口部２４に連続していて、スピンドルモータ６０をここに配設する。
【００２０】
載置部２２に形成された凹部２２ａの外周縁近傍において、載置された光ディスク４０の外周端面４０ａの若干外側には、上方に突出する突部７０が形成されている。突部７０は、トレイ２０の前面側（図２の平面図における上側）に、凹部２２ａの外周にわたって形成されている。突部７０の配設長さは、凹部２２ａの外周の１／３以上に形成されることが好ましく、さらには、後述するトップケース３０に設けられた第２の突部８０と隣接するようにして配設されていることが好ましい。
図４に示すように、本実施の形態において突部７０の高さは、本体部１２を覆うようにして組み立てられるトップケース３０の天板部分３０ａ内側面に当接する高さに形成されている。
【００２１】
トップケース３０について説明する。
トップケース３０の天板部分３０ａ内面において、１２ｃｍサイズの光ディスク４０における対向縁部４０ｂの近傍であって、１２ｃｍ光ディスク４０の外周端面４０ａより若干内周側の位置には、円弧状に第２の突部８０が配設されている。第２の突部８０は、天板３０ａの内面から下方（光ディスク４０側）に突出しており、第２の突部８０の対向端面８０ａと光ディスク４０の対向縁部４０ｂとの離間距離が、トレイ２０に形成された凹部２２ａの底面２２ｚと載置部２２に載置された光ディスク４０の対向面４０ｃとの離間距離と等しくなる高さに形成されている。
また、第２の突部８０は、トレイ２０に形成した突部７０と対応する位置に形成しておくことが好ましいが、図３に示すようにトップケース３０の天板３０ａの内面において、光ディスク４０の外周端面４０ａに沿って環状に形成しても構わないのはもちろんである。
なお、３２は組み立て用のネジ止め部である。
【００２２】
突部について説明する。
トレイ２０の突部７０とトップケース３０の突部８０は互いに隣接して形成されていることが好ましい。また、トレイ２０の突部７０の先端部７０ａは、少なくともトップケース３０の突部８０の対向端面８０ａと同じ位置になるように形成されている。さらには、トレイ２０の突部７０の先端部７０ａが、トップケース３０側の突部８０の対向端面８０ａよりもトップケース３０側になるような高さに設定されていることがなお好ましい。言い換えれば、互いの突部７０の先端部７０ａが第２の突部８０の対向端面８０ａと入り組んだ高さに形成されていることが好適である。
【００２３】
トレイ２０に形成された突部７０は金型に突部部分を形成し、モールド成形により形成する方法や、予め合成樹脂により取付部品として形成した突部７０を、従来から用いられている光ディスク装置１０のトレイ２０の所定位置に接着剤等で取り付けることもできる。
トップケース３０についてもトレイ２０と同様に、予め取付部品として形成した突部８０を接着剤で従来のトップケース３０に取り付けることもできるが、トップケース３０に形成する突部８０は、プレス金型に突部部分を予め形成しておけば、トップケース３０のプレス加工時に同時に形成されると共に、突部７０に対する突部８０の配設位置を精密に設定することができるため製造コストを抑えることができる。
【００２４】
光ディスク装置１０内における突部７０、８０の作用について説明する。
トレイ２０の載置部２２に載置された光ディスク４０はスピンドルモータ６０により回転力が付与される。光ディスク４０が所定の回転数に到達すると、光ピックアップ５０が光ディスク４０からのデータの読み込みや、光ディスク４０へのデータの書き込みを行う。
光ディスク４０の回転制御は、角速度一定の制御方法や、線速度一定の制御方法等といった現在一般的に用いられている制御方法によって行うことができる。
【００２５】
光ディスク４０が回転すると、光ディスク４０の中心部分から径方向に放射状に遠心力が作用する。この遠心力に伴って光ディスク装置１０の内部空間の空気も光ディスク４０の中心部分から外周方向に向かって流れる。本実施の形態においては、トレイ２０に形成した突部７０の高さを、トレイ２０に組み立てられたトップケース３０の天板３０ａの内壁面に当接する高さに形成している。これにより、光ディスク４０中心部から光ディスク４０の表面に沿って放射状に流れてきた空気は、光ディスク装置１０内に不規則に拡散してしまうことなく、トップケース３０に形成された第２の突部８０およびトレイ２０に形成された突部７０にそれぞれ衝突し、進行方向が光ディスク４０の面に対して直交する方向に規則的に変化する。
換言すれば、流体空気により、光ディスク４０の対向縁部４０ｂと対向面４０ｃがクランプされる状態になり、光ディスク４０の変形モード以外のブレが抑制される。
【００２６】
ここで、トレイ２０の載置部２２の内底面２２ｚから光ディスク４０の対向面４０ｃまでの離間距離Ｄ１と、トップケース３０に形成された第２の突部８０の対向端面８０ａから光ディスク４０の対向縁部４０ｂまでの離間距離Ｄ２とがほぼ等しくなるように第２の突部８０を形成しているので、流体空気による光ディスク４０のクランプ力は光ディスク４０の上下面からほぼ均等に作用することになるので、光ディスク４０の変形モード以外のブレを効果的に抑えることができる。
【００２７】
図５、図６は、本発明に係る光ディスク装置１０において、光ディスク４０の回転数と光ディスク４０の面外変形との関係を表すグラフである。縦軸に面外変形量をとり、横軸にデータ取得時間をとっている。横軸のデータ取得時間と光ディスクの回転数の関係は単純な比例関係ではなく、横軸の１０００が６，０００ｒｐｍに相当し、横軸の２５００が１０，０００ｒｐｍにそれぞれ相当している。
各図における（ａ）のグラフは、トレイ２０とトップケース３０の両方に突部７０、８０をそれぞれ形成した光ディスク装置１０における実験結果を示し、（ｂ）のグラフは、トップケースのみに突部８０を形成した光ディスク装置１０における実験結果を示し、（ｃ）のグラフは、従来技術の光ディスク装置における実験結果を示すものである。
また、図５のグラフは、光ディスク４０の変形モードが凹状になる光ディスク４０における実験結果であり、図６のグラフは、光ディスク４０の変形モードが凸状になり光ディスク４０における実験結果である。
【００２８】
図５のグラフについて説明する。
（ａ）から（ｃ）のすべての光ディスク装置１０における横軸の１０００〜１５００の範囲と（ｂ）および（ｃ）の光ディスク装置１０における横軸２０００〜２２００の範囲には、光ディスク４０に変形モードとは異なる大きなブレが生じている。横軸１０００〜１５００の範囲における（ａ）、（ｂ）のグラフは、（ｃ）のグラフに比べ、光ディスクのブレの振幅が大幅に小さくなっている。また、横軸２０００〜２２００の範囲においては、（ａ）のグラフにはほとんど光ディスク４０のブレが生じていない。
さらに（ｂ）、（ｃ）のグラフから明らかなように、トップケース３０に第２の突部８０を形成したのみの光ディスク装置１０であっても、従来技術の光ディスク装置１０において光ディスク４０を高速回転させた場合に光ディスク４０に生じる変形モードとは異なるブレの振幅を約半分に抑えることが可能である。
【００２９】
図６のグラフについて説明する。
（ａ）から（ｃ）のすべての光ディスク装置１０において、横軸の１０００〜１５００の範囲において光ディスク４０のブレが生じている。また、（ｂ）、（ｃ）のグラフにおいては、横軸の２３００近辺においても光ディスク４０のブレが生じている。
横軸１０００〜１５００の範囲について比較すると、（ａ）、（ｂ）のグラフにおける光ディスク４０のブレは、（ｃ）のブレに比べて大幅に小さくなっている。横軸２３００近辺においても、（ｂ）のグラフにおけるブレは（ｃ）のグラフにおけるブレに比べて小さくなっている。なお、（ａ）のグラフにおいては、横軸２３００近辺での光ディスク４０のブレはほとんど生じていない。
さらに図５のグラフと同様に、（ｂ）、（ｃ）のグラフにおいて、トップケース３０に第２の突部８０を形成したのみの光ディスク装置１０であっても、従来技術の光ディスク装置１０において、光ディスク４０を高速回転させた場合に光ディスク４０に生じる変形モード以外のブレの振幅を約半分に抑えることが可能である。
【００３０】
以上に説明した実施の形態においては、トレイ２０とトップケース３０にそれぞれ突部７０、８０を形成して、光ディスク装置１０内の空気の流れを調整することにより、光ディスク４０を上下方向から流体空気によってクランプさせることで、光ディスク４０を高速回転させた際に生じる光ディスク４０の変形モード以外のブレを抑えている。
トップケース３０の第２の突部８０は、プレス加工により形成可能であるので、さほど製造コストの増大にはならないが、トレイ２０への突部７０の形成は、モールド金型の変更や、突部７０を接着させる作業が必要になるため、製造コストの増大は避けられない。
【００３１】
しかしながら、図５、図６ともに、トップケースに第２の突部８０を形成したのみの光ディスク装置１０であっても、従来技術の光ディスク装置１０において生じる光ディスク４０の変形モード以外のブレの振幅を半分程度に抑えることができるので、コストを増大させない形態として、トップケース３０にのみ突部８０を形成した光ディスク装置１０としてもよいのはもちろんである。
【００３２】
また、本実施の形態においては、トレイ２０に形成した突部７０の高さを、トレイ２０に組み立てられたトップケース３０の天板３０ａの内壁面３０ａに当接する高さに形成しているが、トップケース３０に形成した突部８０の対向端面８０ａに対して、トレイ２０に形成した突部７０の先端部分７０ａがトップケース３０側にあれば本願発明による効果を得ることができるので、必ずしもトップケース３０の内壁面に突部７０を当接させる必要はない。
【００３３】
さらに、本実施の形態で示しているように、トップケース３０に形成する突部８０の位置は、１２ｃｍ光ディスク４０外周端面４０ａより若干内側であることが好ましいが、１２ｃｍ光ディスク４０の外周端面４０ａより若干外側であっても発明の効果を得ることができる。
また、トレイ２０とトップケース３０にそれぞれ形成した突部７０、８０は互いに隣接していることが好ましいが、必ずしも隣接している必要はなく、遠心力による空気の流れが光ディスク装置１０の内部空間で循環する範囲であれば、互いに離間していても構わないのはもちろんである。
【実施例２】
【００３４】
本実施例においては、実施例１で説明したようにプレス加工等によって、トップケース３０へ突部８０を直接形成するのではなく、トップケース３０を構成するプーリーカバー３０ｃに突部８０を形成し、突部８０を天板３０ａに嵌合させることにより、突部８０を有するトップケース３０にする形態について説明する。
図７は、本実施例におけるトップケースの組み立て斜視図である。図８は、図７に示すトップケースの組み立て状態を示す斜視図である。
【００３５】
本実施の形態におけるトップケース３０は、図７に示すように、天板３０ａと、光ディスク装置１０に装着された光ディスクを押えるプーリー３０ｂと、プーリー３０ｂを天板３０ａの上面に押圧するプーリーカバー３０ｃとを具備している。
天板３０ａへのプーリー３０ｂの取り付けは、従来技術と同様に、天板３０ａに設けられているプーリー装着孔３０ｄへ、プーリー３０ｂを装着した後、プーリー３０ｂの上からプーリーカバー３０ｃを天板３０ａにネジ止め等により取り付けられる。
【００３６】
本実施例におけるプーリーカバー３０ｃには、プーリー３０ｂによりクランプされた光ディスクの外周縁より若干内周側の位置（実施例１においてトップケース３０に形成された突部８０の位置と同位置）で、下方側に突出する突部８０が形成されている。突部８０は、第１実施例と同様にして形成することができる。また、天板３０ａには、プーリーカバー３０ｃを装着した際にプーリーカバー３０ｃに形成された突部８０と同位置に突部８０の形状と同形状に形成されたプーリー装着孔３０ｄが設けられている。
また、天板３０ａと、プーリーカバー３０ｃとが気密に装着することができるように、プーリー装着孔３０ｄの近傍や突部８０の基部近傍にゴム板等から成るシール部材が配設されていれば、なお好適である。
【００３７】
以上に説明した天板３０ａおよびプーリーカバー３０ｃを用いてトップケース３０を構成すれば、図８に示すように、天板３０ａの内面からプーリーカバー３０ｃに形成された突部８０があらわれる。つまり、本実施例におけるトップケース３０を、第１実施例におけるトップケースと実質的に同一な、光ディスク側に突出する突部８０を有するトップケース３０とすることができ、しかも、非常に安価にトップケースを生産することが可能になる。
【図面の簡単な説明】
【００３８】
【図１】本発明に係る光ディスク装置の全体構成を示す説明図である。
【図２】図１の光ディスク装置におけるトレイの平面図である。
【図３】図１の光ディスク装置におけるトッププレートの底面図である。
【図４】本実施の形態における光ディスク装置の概略説明断面図である。
【図５】本発明にかかる光ディスク装置と従来技術の光ディスク装置における光ディスクのブレを示したグラフである。
【図６】本発明にかかる光ディスク装置と従来技術の光ディスク装置における光ディスクのブレを示したグラフである。
【図７】実施例２におけるトップケースの組み立て斜視図である。
【図８】図７に示すトップケースの組み立て状態を示す斜視図である。
【符号の説明】
【００３９】
１０  光ディスク装置
１２  本体部
２０  トレイ
２２  載置部
２２ｚ  内底面
３０  トップケース
３０ａ  天板
４０  光ディスク
４０ａ  外周端面
４０ｂ  対向縁部
４０ｃ  対向面
７０  第１の突部
８０  第２の突部
８０ａ  対向端面
【図１】
2004259424.tif 000003
【図２】
2004259424.tif 000004
【図３】
2004259424.tif 000005
【図４】
2004259424.tif 000006
【図５】
2004259424.tif 000007
【図６】
2004259424.tif 000008
【図７】
2004259424.tif 000009
【図８】
2004259424.tif 000010